(57)【要約】【課題】電子カメラにおいて、動画撮影中に光学ファインダをのぞく撮影者に動画撮影中であることを認識させ、被写界像を撮像素子に導くためのミラー駆動により光学ファインダがブラックアウトしてしまう状態を撮影者が故障と勘違いすることを防止する。【解決手段】動画撮影モードおよび静止画撮影モードを有する１眼レフ型の電子カメラにおいて、前記動画撮影モード時に（ステップ１００）レリーズボタンの押し切りを検知したとき（ステップ１０４）、光学ファインダ内に動画撮影中である旨の表示を行う（ステップ１０５）。【選択図】        図２
2005012654.tif 000002
【特許請求の範囲】
【請求項１】
動画撮影モードおよび静止画撮影モードを有する電子カメラであって、被写界像を撮像する撮像素子と、被写界像を観察する光学ファインダと、前記光学ファインダ内に設けられ撮影情報を表示する撮影情報表示手段と、被写界像を前記撮像素子と前記光学ファインダのいずれかに切り換えて導く光路切換手段と、前記動画撮影モードでの撮影時に、前記光路切換手段により被写界像を前記撮像素子に導くと共に、前記撮影情報表示手段に動画撮影中である旨の表示を行うように制御する制御手段と、を備えたことを特徴とする電子カメラ。
【請求項２】
動画撮影モードおよび静止画撮影モードを有する電子カメラであって、被写界像を撮像する撮像素子と、被写界像を観察する光学ファインダと、前記光学ファインダ内に設けられ撮影情報を表示する撮影情報表示手段と、被写界像を前記撮像素子と前記光学ファインダのいずれかに切り換えて導く光路切換手段と、撮影者が前記光学ファインダに接眼しているかどうかを判別する接眼判別手段と、前記動画撮影モードでの撮影時に、前記光路切換手段により被写界像を前記撮像素子に導くと共に、前記接眼判別手段により接眼を判別したときは前記撮影情報表示手段に動画撮影中である旨の表示を行い、接眼を判別しないときは前記前記撮影情報表示手段への給電を中止するように制御する制御手段と、を備えたことを特徴とする電子カメラ。
【請求項３】
請求項２記載の電子カメラにおいて、前記接眼判別手段は、撮影者の眼球を照明し反射像を検出して撮影者が前記光学ファインダに接眼しているかどうかを判別することを特徴とする電子カメラ。
【請求項４】
動画撮影モードおよび静止画撮影モードを有する１眼レフ型の電子カメラにおける表示方法であって、
前記動画撮影モードを検知するステップＡと、
前記ステップＡで動画撮影モードを検知した後にレリーズボタンの押し切りを検知するステップＢと、
前記ステップＢでレリーズボタンの押し切りを検知したとき、光学ファインダ内に動画撮影中である旨の表示を行うステップＣと、
を備えたことを特徴とする電子カメラの表示方法。
【発明の詳細な説明】
【０００１】
【発明の属する技術分野】
本発明は、光学ファインダを備える一眼レフ型の電子カメラ（デジタルカメラともいう）に関し、特にその動画撮影中の光学ファインダ内の表示に関するものである。
【０００２】
【従来の技術】
図５は、電子カメラ本体内の可動なミラーにより撮影レンズからの被写界像を光学ファインダと撮像素子に導く電子カメラの断面図であり、図５（ａ）は撮影レンズの被写界を接眼レンズ７を含む光学ファインダ３００へ導くミラー斜設状態、図５（ｂ）は撮像素子へ導くミラー退避状態を表している。図５（ａ）において、１００は電子カメラ本体であり、１０は撮影レンズを含むレンズユニットである。２は主ミラーであり、３はサブミラーである。サブミラー３は主ミラー２を透過した光束をカメラボディの下方へ向けて反射する。
【０００３】
１３はシャッタである。１４は撮像素子であり、撮影レンズ１１により結像された被写界像を電気信号に変換する。６は焦点検出装置であり、結像面近傍に配置されたフィールドレンズ，反射ミラー，２次結像レンズ，絞り，複数のＣＣＤからなるラインセンサー等から構成されて、周知の位相差方式により焦点検出動作を行う。
【０００４】
３５は撮影レンズ１１の予定結像面に配置されたピント板、３７はファインダ光路変更用のペンタプリズムである。８ａ，８ｂは観察画面内の被写体輝度を測定するための結像レンズと測光センサーで、結像レンズ８ａはペンタプリズム３７内の反射光路を介してピント板３５と測光センサーを共役に関係付けている。ペンタプリズム３７の射出面後方には、光分割器７ａを備えた接眼レンズ７が配されており、撮影者の眼９０によるピント板３５の観察に使用される。光分割器７ａは、例えば可視光を透過して赤外光を反射するダイクロイックミラーにより構成される。４３は撮影者の眼球照明手段である赤外発光ＬＥＤである。３９ａは受光レンズである。３９ｂはＣＣＤ等の光電素子列を２次元的に配したイメージセンサーであり、受光レンズ３９ａに関して所定の位置にある撮影者の眼９０の瞳孔近傍と共役になるように配置されている。なお、イメージセンサー３９ｂと受光レンズ３９ａは受光手段の一要素を構成している。４３および３９ａ，３９ｂによりファインダ接眼検知が可能となっている。
【０００５】
３６はファインダ視野領域を形成する視野マスクである。３８ａはファインダ視野外に撮影情報を表示するためのファインダ内ＬＣＤであり、表示用ＬＥＤ（Ｆ−ＬＥＤ）３８ｂによって照明され、ＬＣＤ３８ａを透過した光が三角プリズム３８ｃによってファインダ内に導かれる。
【０００６】
図６は光学ファインダ３００内の表示例で、図６（ａ）が光学ファインダ３００視野全体の表示例であり、図６（ｂ）が図６（ａ）における光学ファインダ３００内撮影情報表示部の拡大図である。図６（ａ）において、２０１が被写体像表示部であり、２０２が撮影情報表示部である。被写体観察中は２０１には撮影レンズ１１を通った被写体像が主ミラー２により光学ファインダ３００に導かれ、表示される。２０２は液晶ドットセグメントであり、シャッタスピードおよび絞り値、露出補正値などの撮影情報が表示される。動画撮影中、光学ファインダ３００には被写体像が導かれないため、２０１には何も表示されない。よって前述のような構成の電子カメラにおいて、撮影者は外部モニターなどの画像表示装置２８を観察しながら動画撮影を行う。
【０００７】
なお、この種の電子カメラが下記特許文献１に開示されている。
【０００８】
【特許文献１】
特開２００２−９４８５５号公報
【０００９】
【発明が解決しようとする課題】
しかしながら、撮影者が動画撮影中であることを忘れてしまった場合、光学ファインダ内に何も表示されてない状態を故障と勘違いしてしまうことがある。
【００１０】
本発明は、このような状況のもとでなされたものであり、電子カメラにおいて、動画撮影中に光学ファインダをのぞく撮影者に動画撮影中であることを認識させ、被写界像を撮像素子に導くためのミラー駆動により光学ファインダがブラックアウトしてしまう状態を撮影者が故障と勘違いすることを防止することを課題とするものである。
【００１１】
【課題を解決するための手段】
本発明は、前記課題を解決するため、本発明では、電子カメラを次の（１）ないし（３）のとおりに構成し、電子カメラの表示方法を次の（４）のとおりに構成する。
【００１２】
（１）動画撮影モードおよび静止画撮影モードを有する電子カメラであって、被写界像を撮像する撮像素子と、被写界像を観察する光学ファインダと、前記光学ファインダ内に設けられ撮影情報を表示する撮影情報表示手段と、被写界像を前記撮像素子と前記光学ファインダのいずれかに切り換えて導く光路切換手段と、前記動画撮影モードでの撮影時に、前記光路切換手段により被写界像を前記撮像素子に導くと共に、前記撮影情報表示手段に動画撮影中である旨の表示を行うように制御する制御手段と、を備えたことを特徴とする電子カメラ。
【００１３】
（２）動画撮影モードおよび静止画撮影モードを有する電子カメラであって、被写界像を撮像する撮像素子と、被写界像を観察する光学ファインダと、前記光学ファインダ内に設けられ撮影情報を表示する撮影情報表示手段と、被写界像を前記撮像素子と前記光学ファインダのいずれかに切り換えて導く光路切換手段と、撮影者が前記光学ファインダに接眼しているかどうかを判別する接眼判別手段と、前記動画撮影モードでの撮影時に、前記光路切換手段により被写界像を前記撮像素子に導くと共に、前記接眼判別手段により接眼を判別したときのみ前記撮影情報表示手段に動画撮影中である旨の表示を行うように制御する制御手段と、を備えたことを特徴とする電子カメラ。
【００１４】
（３）前記（２）記載の電子カメラにおいて、前記接眼判別手段は、撮影者の眼球を照明し反射像を検出して撮影者が前記光学ファインダに接眼しているかどうかを判別することを特徴とする電子カメラ。
【００１５】
（４）動画撮影モードおよび静止画撮影モードを有する１眼レフ型の電子カメラにおける表示方法であって、
前記動画撮影モードを検知するステップＡと、
前記ステップＡで動画撮影モードを検知した後にレリーズボタンの押し切りを検知するステップＢと、
前記ステップＢでレリーズボタンの押し切りを検知したとき、光学ファインダ内に動画撮影中である旨の表示を行うステップＣと、
を備えたことを特徴とする電子カメラの表示方法。
【００１６】
【発明の実施の形態】
以下本発明の実施の形態を電子カメラの実施例により詳しく説明する。なお、本発明は、装置の形に限らず、実施例の説明に裏付けられて、方法の形で実施することもできる。
【００１７】
【実施例】
（実施例１）
図１は、実施例１である“電子カメラ”の構成を示すブロック図である。図１において、１０００は電子カメラ本体部であり、１０はレンズユニットである。撮影レンズ１１は複数の光学レンズからなり、１２は絞りである。２は主ミラーであり、ファインダ観察状態と撮影状態とに応じて撮影光路に対して斜設または退避される。３はサブミラーで、主ミラー２を透過した光束をカメラボディの下方へ向けて反射する。
【００１８】
１３はシャッタで、１４は光学像を電気信号に変換する撮像素子である。６は焦点検出装置であり、結像面近傍に配置されたフィールドレンズ，反射ミラー，２次結像レンズ，絞り、複数のＣＣＤからなるラインセンサーなど（全て図示せず）から構成されて、静止画撮影時に周知の位相差方式により焦点検出動作を行う。
【００１９】
一方動画撮影時はサブミラー３が主ミラー２と共に撮影レンズ１１を通った被写界像が撮像素子１４に至る光路から退避するため、焦点検出装置６に前記被写界像が入光しないので、撮像素子１４から得られた画像データを画像処理回路２０が所定の演算処理を行う山登り方式の焦点検出動作を行う。
【００２０】
３５は撮影レンズ１１の予定結像面に配置されたピント板、３７はファインダ光路変更用のペンタプリズムである。８は観察画面内の被写体輝度を測定するための結像レンズと測光センサーからなる被写体輝度検出装置であり、結像レンズはペンタプリズム３７内の反射光路を介してピント板３５と測光センサーを共役に関係付けている。
【００２１】
ペンタプリズム３７の射出面後方には、光分割器７ａを備えた接眼レンズ７が配されており、撮影者の眼９０によるピント板３５の観察に使用される。接眼レンズ７内の光分割器７ａは、例えば可視光を透過して赤外光を反射するダイクロイックミラーより構成される。これらピント板３５、ペンタプリズム３７、接眼レンズ７等は光学ファインダ３００を構成する。
【００２２】
４３は撮影者の眼球照明用の赤外発光ダイオードであり、３９は受光レンズ（図示しない）およびＣＣＤなどの光電素子列を２次元的に配したイメージセンサー（図示しない）などから構成されるファインダ接眼検出装置であり、イメージセンサーは受光レンズに関して所定の位置にある撮影者の眼９０の瞳孔近傍と共役になるように配置されている。赤外発光ダイオード４３からの赤外光は撮影者の眼球９０に照射される。そして撮影者の眼９０の角膜の表面で反射した赤外光の一部が光分割器７ａで再反射して、ファインダ接眼検出装置３９内の受光レンズにより集光され、イメージセンサー上に角膜反射像（虚像）として結像する。システム回路５０はファインダ接眼検出装置３９内のイメージセンサーに前記角膜反射像が結像していれば撮影者がファインダに接眼中であると判断し、結像していなければ接眼していないと判断する。
【００２３】
３６はファインダ視野領域を形成する視野マスクである。３８はファインダ視野外に撮影情報を表示する撮影情報表示手段で、表示用ＬＥＤおよびファインダ内ＬＣＤ，三角プリズムから構成される。ファインダ内ＬＣＤを透過した照明用ＬＥＤの光が三角プリズムによってファインダ内に導かれ、合焦表示，シャッタスピード表示，絞り値表示，露出補正表示，動画撮影告知表示などの撮影情報を表示する。
【００２４】
１６は撮像素子１４から出力されるアナログ信号をデジタル信号に変換するＡ／Ｄ変換器である。１８は撮像素子１４，Ａ／Ｄ変換器１６，Ｄ／Ａ変換器２６にクロック信号および制御信号を供給するタイミング発生回路であり、メモリ制御回路２２およびシステム制御回路５０により制御される。
【００２５】
２０は画像処理回路であり、Ａ／Ｄ変換器１６からのデータあるいはメモリ制御回路２２からのデータに対して所定の画素補間処理や色変換処理を行う。また、動画撮影時には、撮像した画像データを用いて所定の演算処理を行い、得られた演算結果に基づいてシステム制御回路５０が露光制御部４０および測距制御部４２に対して制御を行う、ＴＴＬ方式のＡＦ（オートフォーカス）処理、ＡＥ（自動露出）処理およびストロボ発光処理を行う。
【００２６】
２２はメモリ制御回路であり、Ａ／Ｄ変換器１６，タイミング発生回路１８，画像処理回路２０，画像表示メモリ２４，Ｄ／Ａ変換器２６，メモリ３０，圧縮伸長回路３２を制御する。Ａ／Ｄ変換器１６のデータが画像処理回路２０およびメモリ制御回路２２を介して、あるいはＡ／Ｄ変換器１６のデータが直接メモリ制御回路２２を介して、画像表示メモリ２４あるいはメモリ３０に書き込まれる。
【００２７】
２８はＬＣＤなどからなる画像表示部である。画像表示メモリ２４に書き込まれた表示用の画像データはＤ／Ａ変換器２６を介して画像表示部２８により表示される。画像表示部２８は、画像表示ＯＮ／ＯＦＦスイッチの指示に従って、任意に表示をＯＮ／ＯＦＦすることが可能であり、表示をＯＦＦにした場合、電力消費を大幅に低減することができる。
【００２８】
３０は撮影した静止画像や動画像を格納するためのメモリであり、所定枚数の静止画像や所定時間の動画像を格納するのに十分な記憶量を備えている。
【００２９】
３２は適応離散コサイン変換などにより画像データを圧縮・伸長する圧縮伸長回路であり、メモリ３０に格納された画像を読み込んで圧縮処理あるいは伸長処理を行い、処理を終えたデータをメモリ３０に書き込む。４０は絞り１１およびシャッタ１２を制御する露光制御回路であり、ストロボ４８と連携してストロボ調光機能も有する。４２は撮影レンズ１０のフォーカシングを制御する測距制御回路である。
【００３０】
露光制御部４０および測距制御部４２はＴＴＬ方式で制御されている。被写体輝度検出装置８および焦点検出装置６の検出結果に基づき、システム制御回路５０は露光制御部４０および測距制御部４２に対して制御を行う。
【００３１】
５０は電子カメラ１０００全体を制御するシステム制御回路である。システム制御回路５０はＣＰＵを含むマイクロコンピュータユニットから構成されており、メモリ５２に格納されたプログラムを実行する。５２はシステム制御回路５０の動作用の定数，変数，プログラムなどを記憶するメモリである。５４はシステム制御回路５０によるプログラムの実行に応じて、動作状態やメッセージなどを文字および画像で表示する表示器、および音声で報知するスピーカーなどを有する表示部である。表示部５４は電子カメラ１０００の操作部近傍の視認しやすい位置に単数あるいは複数設置される。
【００３２】
５６は電気的に消去・記録可能な不揮発性メモリであり、例えばＥＥＰＲＯＭからなる。６０，６２，６４，６６および７０はシステム制御回路５０に対して動作指示を入力するための操作部であり、スイッチ，ダイヤル，タッチパネル，視線検知によるポインティング，音声認識装置などを単数あるいは複数組み合わせて構成される。
【００３３】
各操作部について具体的に説明する。６０はモードダイヤルであり、電源オフ，自動撮影モード，撮影モード，動画撮影モード，再生モードなどの各機能モードを切り換えて設定することができる。
【００３４】
６２はレリーズスイッチＳＷ１であり、レリーズボタン（図示せず）の操作途中でＯＮとなり、焦点検出装置６によるＡＦ（オートフォーカス）処理、被写体輝度検出装置８によるＡＥ（自動露出）処理、ＥＦ（ストロボプリ発光）処理などの動作開始を指示する。
【００３５】
６４はレリーズスイッチＳＷ２であり、レリーズボタン（図示せず）の操作完了（押し切り）でＯＮとなる。システム制御回路５０はミラー駆動部４１を制御し、主ミラー２およびサブミラー３を撮影光路から退去するように駆動させ、それと同時に露光制御部４０がシャッタ４を制御して撮像素子１４に露光させる。撮像素子１４から読み出した信号をＡ／Ｄ変換器１６でアナログデジタル変換した後、メモリ制御回路２２を介して画像データをメモリ３０に書き込む露光処理、画像処理回路２０およびメモリ制御回路２２での演算による現像処理、メモリ３０から画像データを読み出し、圧縮伸長回路３２で圧縮を行い、記録媒体２００に画像データを書き込む記録処理という一連の処理の動作開始を指示する。
【００３６】
６６は画像表示ＯＮ／ＯＦＦスイッチであり、画像表示部２８のＯＮ／ＯＦＦを設定することができる。この機能により、光学ファインダ３００を用いて撮影を行う際、ＴＦＴ方式のＬＣＤなどからなる画像表示部２８への電源供給を遮断することで、省電力化を図ることが可能である。
【００３７】
７０は各種ボタン，タッチパネル等からなる操作部であり、メニューボタン，セットボタン，単射／連射／セルフタイマー切り替えボタン，メニュー移動＋（プラス）ボタン，メニュー移動−（マイナス）ボタン，再生画像移動＋（プラス）ボタン，再生画像−（マイナス）ボタン，撮影画質選択ボタン，露出補正ボタンなどを有する。
【００３８】
８０は電源制御部であり、電池検出回路，ＤＣ−ＤＣコンバータ，通電するブロックを切り換えるスイッチ回路（いずれも図示せず）などから構成されており、電池の装着の有無，電池の種類，電池残量の検出を行い、検出結果およびシステム制御回路５０の指示に基づいてＤＣ−ＤＣコンバータを制御し、必要な電圧を必要な期間、記録媒体を含む各部に供給する。
【００３９】
８２および８４は着脱自在なコネクタである。８６はアルカリ電池やリチウム電池などの一次電池，ＮｉＣｄ電池，ＮｉＭＨ電池等の二次電池、ＡＣアダプタなどからなる電源である。
【００４０】
９０はメモリーカードやハードディスク等の記録媒体とのインターフェースである。９２はメモリーカードやハードディスク等の記録媒体との接続を行うコネクタである。
【００４１】
２００はメモリーカードやハードディスク等の記録媒体である。記録媒体２００は、半導体メモリや磁気ディスク等から構成される記録部２０３、電子カメラ１０００とのインターフェース２０４およびコネクタ２０６を備える。
【００４２】
次に、図２を参照して実施例１における動画撮影時の光学ファインダ３００内撮影情報表示手段３８の表示動作について説明する。
【００４３】
モードダイヤル６０で動画撮影モードに設定する（ステップ１００、図ではＳ１００と表記する、参照、以下同様）。レリーズボタンが半押しされて６２のレリーズスイッチＳＷ１がＯＮとなると（ステップ１０１）、ＡＦ（オートフォーカス）処理およびＡＥ（自動露出）処理動作が開始される（ステップ１０２）。ＡＦ処理により被写体に合焦したかを判断し（ステップ１０３）、合焦した場合、レリーズボタン押し下しによる６４のレリーズスイッチＳＷ２が操作可能となる。６４のレリーズスイッチＳＷ２がＯＮとなると（ステップ１０４）、システム回路５０はミラー駆動部４１を介して撮影レンズ１１を通った被写体像が撮像素子１４に至る光路から主ミラー２およびサブミラー３を退避させ、露光制御部４０を介してシャッタ１３を開き、撮像素子１４に被写体像を露光させ撮影を行う。それと同時にシステム制御回路５０は撮影情報表示手段３８を制御して、光学ファインダ３００内の撮影情報表示手段３８に動画撮影中であることを告知する表示を行う。また、動画撮影中は撮像素子１４が撮像した画像データを用いて画像処理回路２０が所定の演算処理を行い、前記演算処理で得られた演算結果に基づいてシステム制御回路５０が露光制御部４０および測距制御部４２に対してＡＥ（自動露出）処理、山登り方式のＡＦ（オートフォーカス）処理およびストロボ発光処理の制御を行う。６４のレリーズスイッチＳＷ２がＯＮになっている間は動画撮影を続け、ＯＦＦとなったときは（ステップ１０６）、システム回路５０がミラー駆動部４１を介して撮影レンズ１１を通った被写体像を光学ファインダ３００および焦点検出装置６へ導く位置へと主ミラー２およびサブミラー３を駆動させ、露光制御部４０を介してシャッタを閉じ、動画撮影画終了となる（ステップ１０７）。
【００４４】
図３は、光学ファインダ３００内の撮影情報表示部の動画撮影告知表示例で、図３（ａ）が光学ファインダ３００視野全体の表示例であり、図３（ｂ）が図３（ａ）における撮影情報表示部の拡大図である。２０１は被写体像表示部であり、被写体観察中は撮影レンズ１１を通った被写体像が主ミラー２により光学ファインダ３００に導かれ表示されるが、動画撮影中は光学ファインダ３００には被写体像が導かれないため、２０１には図３のように何も表示されない。２０２は任意の文字が表示可能である液晶ドットセグメントの撮影情報表示部であり、静止画撮影時はシャッタスピードおよび絞り値，露出補正値などの撮影情報が表示される。動画撮影中は図３のように動画撮影中であることを告知するような表示がなされる。
【００４５】
以上説明したように、本実施例によれば、動画撮影中に動画撮影中であることを撮影情報表示手段３８に表示することにより、撮影者が動画撮影中であることを忘れ、被写界像を撮像素子に導くためのミラー駆動により光学ファインダがブラックアウトしてしまう状態を撮影者が故障と勘違いすることを防止することができる。
【００４６】
（実施例２）
実施例２である電子カメラについて説明する。本実施例の電子カメラは、実施例１とハードウエア構成が同一なので、実施例１の説明を援用し、再度の説明を省略する。
【００４７】
図４に示すフローチャートを用いて、本実施例における動画撮影時の光学ファインダ３００内の撮影情報表示手段３８の表示動作について説明する。
【００４８】
図４におけるステップ２００ないしステップ２０４は、図２のステップ１００ないしステップ１０４と同一であるので、それ以降から説明する。レリーズボタンを押し下し、６４のレリーズスイッチＳＷ２がＯＮとなると（ステップ２０４）、システム回路５０はミラー駆動部４１を介して撮影レンズ１１を通った被写体像が撮像素子１４に至る光路から主ミラー２およびサブミラー３を退避させ、露光制御部４０を介してシャッタ１３を開き、撮像素子１４に被写体像を露光させ動画撮影を開始する（ステップ２０５）。動画撮影中は撮像素子１４が撮像した画像データを用いて画像処理回路２０が所定の演算処理を行い、前記演算処理で得られた演算結果に基づいてシステム制御回路５０が露光制御部４０および測距制御部４２に対して、ＡＥ（自動露出）処理、山登り方式のＡＦ（オートフォーカス）処理およびストロボ発光処理の制御を行う。次にレリーズスイッチＳＷ２がＯＮであるかどうかを判別し（ステップ２０６）、ＯＮの間は動画撮影を続ける。続いてファインダ接眼検出装置３９が撮影者の眼が光学ファインダ３００に接眼されているかを判別し（ステップ２０７）、接眼されている場合は図３のように光学ファインダ３００内の撮影情報表示部２０２に動画撮影中であることを告知するような表示を行い（ステップ２０８）、接眼されていない場合は前記表示を行わず、すなわち撮影情報表示手段３８への電源供給を遮断し（ステップ２０９）、ステップ２０６に戻る。ステップ２０６において、レリーズスイッチＳＷ２がＯＦＦとなった場合、システム回路５０がミラー駆動部４１を介して撮影レンズ１１を通った被写体像を光学ファインダ３００および焦点検出装置６へ導く位置へと主ミラー２およびサブミラー３を駆動させ、露光制御部４０を介してシャッタを閉じ、動画撮影が終了となる（ステップ２１０）。
【００４９】
以上説明したように、本実施例によれば、ファインダ接眼検出装置にて撮影者が接眼していると判別されたときのみ光学ファインダ内の撮影情報表示手段に動画撮影中であることを告知する表示をし、非接眼時は前記表示手段への電源供給を遮断することで、省電力化を図ることができる。
【００５０】
【発明の効果】
以上説明したように、本発明によれば、撮影者が動画撮影中であることを忘れ、被写界像を撮像素子に導くためのミラー駆動により光学ファインダがブラックアウトしてしまう状態を撮影者が故障と勘違いすることを防止することができる。
【００５１】
請求項２に記載の発明によれば、さらに、非接眼時は光学ファインダ内の表示手段への電源供給を遮断することで、省電力化を図ることができる。
【図面の簡単な説明】
【図１】実施例１の構成を示すブロック図
【図２】実施例１の動作を示すフローチャート
【図３】動画撮影告知表示例を示す図
【図４】実施例２の動作を示すフローチャート
【図５】従来の電子カメラの断面図
【図６】光学ファインダ内の表示例を示す図
【符号の説明】
２  主ミラー
３７  ペンタプリズム
３８  撮影情報表示手段
５０  システム制御回路
６０  モードダイヤル
６４  レリーズスイッチ（ＳＷ２）
２０２  撮影情報表示部
１０００  電子カメラ
【図１】
2005012654.tif 000003
【図２】
2005012654.tif 000004
【図３】
2005012654.tif 000005
【図４】
2005012654.tif 000006
【図５】
2005012654.tif 000007
【図６】
2005012654.tif 000008